(57)【特許請求の範囲】
【請求項１】
荷台を傾斜させることによって当該荷台に収容された異なる大きさの細断物を当該荷台の傾斜壁面に沿って落下させるようにした荷台構造において、
当該荷台の傾斜壁面の上端部に、前記細断物を分散化さて落下させるために、当該落下方向に対して左右方向の角度を異なるように配置した複数の板状体を設けるようにしたことを特徴とする荷台構造。
【請求項２】
前記板状体が、左右方向の外側に向けて左右方向への角度が大きくなるように設けられたものである請求項１に記載の荷台構造。
【請求項３】
前記板状体が、当該板状体の上辺部を下辺部よりも中央部側に向くように傾斜させたものである請求項１に記載の荷台構造。
【請求項４】
前記板状体の上辺部を、前記荷台の傾斜壁面の傾斜角度と同等以下の角度に傾斜させた請求項１に記載の荷台構造。
【請求項５】
傾斜された荷台の上方部分を中心に回動するカバー体を設け、
当該カバー体を、前記荷台が所定角度以上傾斜した場合に、荷台の上部開口部から離れるにようにしたる請求項１に記載の荷台構造。
【発明の詳細な説明】
【技術分野】
【０００１】
本発明は、荷台に収容された収容物を他の荷台に移し替える際に、その収容物を広範囲に分散化させて移し替えられるようにした収容物の分散化構造に関するものである。
【背景技術】
【０００２】
一般に、ダンプ機構を有する車両の荷台に収容された飼料、粒状体、堆肥などの収容物は、他の荷台に移し替えられ、その移し替えられた先の他の荷台側で所定の処理を行えるようにすることがある。
【０００３】
このようなケースの一例として、例えば、細断された飼料用作物をダンプ機構を有する車両の荷台に積んでおき、そこからダンプ機構を用いて傾斜させてロールベーラーのホッパーに移し替えていくような場合がある。そして、このようにロールベーラーに飼料用作物を移し替えた後は、そのホッパー内で飼料用作物をアジテーターを用いて定量的に繰り出し、ロール成形部まで搬送させて円柱状のロールベールを形成するようにしていく（特許文献１）。
【先行技術文献】
【特許文献】
【０００４】
【特許文献１】特開２００８−０１１７３５号公報
【発明の概要】
【発明が解決しようとする課題】
【０００５】
ところで、このように荷台に収容された収容物を他の荷台に移し替える場合、傾斜する荷台の上端の開口部から収容物を落とし込むようになるが、このとき、その落とし込まれた収容物は、図１１に示すように中央が盛り上がった山積状態となってしまう。
【０００６】
しかるに、このように収容物が山積状態に収容されると、その荷台の収容容積が小さくなってしまう。また、例えば、上述のようにホッパーから定量的に飼料用作物を繰り出してロールベールを成形するような場合においては、山積状態で飼料用作物が収容されると、ホッパー内で飼料用作物の存在する部分と存在しない部分が混在してしまうことになり、アジテーターを使って均一に飼料用作物を吐き出すことができなくなる。そして、このように不均一な状態で飼料用作物が吐き出されると、ロールベールの成形時に外形形状が変形してしまうといった問題を生じてしまう。
【０００７】
そこで、本発明は上記課題に着目してなされたものであり、荷台を傾斜させて収容物を落下させる際に、山積状態とならないように収容物を分散化させて落下させるようにした分散化構造を提供することを目的とする。
【課題を解決するための手段】
【０００８】
すなわち、本発明は上記課題を解決するために、荷台を傾斜させることによって当該荷台に収容された異なる大きさの細断物を当該荷台の傾斜壁面に沿って落下させるようにした荷台構造において、当該荷台の傾斜壁面の上端部に、前記細断物を分散化さて落下させるために、当該落下方向に対して左右方向の角度を異なるように配置した複数の板状体を設けるようにしたものである。
【０００９】
このように構成すれば、板状体に沿って左右方向に収容物を分散化させて他の荷台に移し替えることができるため、当該他の荷台で収容物を平坦化させて積載量を大きくすることができる。また、このような収容物としてロールベールを成形する飼料用作物である場合、移し替えられた先の荷台から均一にロール成形部まで飼料用作物を吐き出すことができるようになるため、ロールベールの外形形状を整えることができる。
【００１０】
また、このような発明において、前記板状体を、左右方向の外側に向けて左右方向への角度が大きくなるように設ける。
【００１１】
このように構成すれば、荷台を傾斜させた際に、荷台から落下する収容物を板状体に沿って左右方向に広く分散化させることができるようになる。
【００１２】
さらに、記板状体を、当該板状体の上辺部を下辺部よりも中央部側に向くように傾斜させるようにする。
【００１３】
このように構成すれば、荷台から落下する収容物を左右方向と前後方向に分散化させて落下させることができるようになる。
【００１４】
また、前記板状体の上辺部を、前記荷台の傾斜壁面の傾斜角度と同等以下の角度に傾斜させるようにする。
【００１５】
このように構成すれば、荷台を傾斜させた際に、大きな収容物については板状体の上辺部に当てて後方に落下させることができ、一方、小さな収容物については板状体の上辺部の隙間から真下に落下させ、壁面に当てて左右に分散化させることができるようになる。
【００１６】
また、傾斜された荷台の上方部分を中心に回動するカバー体を設け、当該カバー体を、前記荷台が所定角度以上傾斜した場合に、荷台の上部開口部から離れるにようにする。
【００１７】
このように構成すれば、荷台を大きく傾斜させた際に、荷台から直接収容物が分散部を飛び越して落下してしまうのを防止することができ、確実に分散部に収容物を当てて分散化させることができるようになる。また、荷台の傾斜角が小さい場合は、カバー体に当てて直接収容物を分散部に当てることができ、傾斜角が大きくなった場合は、残量の少ない収容物をカバー体に当てることなく、分散部を介して他の容器に移し替えることができるようになる。
【発明の効果】
【００１８】
本発明によれば、荷台を傾斜させることによって当該荷台に収容された異なる大きさの細断物を当該荷台の傾斜壁面に沿って落下させるようにした荷台構造において、当該荷台の傾斜壁面の上端部に、前記細断物を分散化さて落下させるために、当該落下方向に対して左右方向の角度を異なるように配置した複数の板状体を設けるようにしたので、板状体に沿って左右方向に収容物を分散化させて他の荷台に移し替えることができ、当該他の荷台で収容物を平坦化させて積載量を大きくすることができる。また、このような収容物としてロールベールを成形する飼料用作物である場合、移し替えられた先の荷台から均一にロール成形部まで飼料用作物を吐き出すことができるようになるため、ロールベールの外形形状を整えることができる。
【図面の簡単な説明】
【００１９】
【図１】本発明の一実施の形態における収穫機を示す図
【図２】同形態における収穫機の刈取部を示す平面図
【図３】同形態における収穫機の搬送部と細断部を示す図
【図４】同形態における荷台の動作原理を示す図
【図５】同形態における荷台の動作原理を示す図
【図６】同形態における荷台を傾斜させた斜視図
【図７】他の実施の形態における分散部を示す斜視図
【図８】他の実施の形態における荷台と分散部を示す平面図
【図９】同形態で分散化された飼料用作物を受け取るロールベーラーを示す図
【図１０】同形態で荷台の収容物を分散化させてホッパーに移し替えた状態図
【図１１】従来例における収容物を移し替えた状態図
【発明を実施するための形態】
【００２０】
以下、本発明の一実施の形態について図面を参照しながら説明する。
【００２１】
この実施の形態における収容物の分散化構造は、図１に示すように、稲やトウモロコシなどの飼料用作物を細断して荷台５に収容できるようにした収穫機１に適用されるものであって、その飼料用作物を収容した荷台５を傾斜させ、図９に示すようなロールベーラー８のホッパー８１に移し替えられるようにしたものである。そして、そのロールベーラー８のホッパー８１から飼料用作物を定量的に繰り出して円柱状のロールベールを形成できるようにしている。なお、この実施の形態では、収穫機１を例に挙げて説明するが、これ以外の収容物を収容して他の容器に移し替えるものとして、例えば、無数の小さな収容物として、砂や石などの粒状物を他の荷台に移し替えるような場合にも適用することができる。以下、本実施の形態における収穫機１の構造について詳細に説明する。
【００２２】
まず、この収穫機１は、図１に示すように、機体の前方に設けられた刈取部２と、この刈取部２で刈り取られた飼料用作物を細断する細断部４と、この細断部４で細断された飼料用作物を吹き上げて放出するシューター４５とを備え、そのシューター４５の後方に、ダンプ機構６によって傾斜可能に構成された荷台５を設けて、そこで荷受できるようにしたものである。そして、その放出された飼料用作物をダンプ機構６を用いて傾斜させてロールベーラー８（図９）に移し替え、そこでロールベールを成形できるようにしたものである。
【００２３】
この刈取部２は、図２に示すように、左右一対のドラム２１によって構成されており、それらのドラム２１を互いに内向きに回転させることによって、その外周部分に設けられた刃２２で飼料用作物を刈り取れるようにしている。また、このドラム２１の刃２２の上方には、間欠的な作物保持用の爪２３が設けられていて、その爪２３に作物の株元付近を挟み込んで内側に引き込めるようにしている。このように作物が内側に引き込まれると、ドラム２１の上側に設けられたバー２４に作物が当たり、作物が水平な状態で株元から内側に引き込まれていくようになる。
【００２４】
搬送部３は、この刈取部２で刈り取られた作物を水平な状態にして下流側の細断部４まで搬送させるものであって、図３に示すように、ここでは上下一対の搬送ローラ３１ａ〜３１ｄを上流側と下流側に設け、これによって飼料用作物を束ねた状態で株元から細断部４に搬送させていくようにしている。
【００２５】
細断部４は、この搬送部３によって水平方向に搬送された飼料用作物を一定幅刻みで細断するように構成される。この細断部４は、シリンダ４４の外周部分に設けられた複数の回転刃４１と、その前方に設けられた固定刃４２とを設け、回転刃４１と固定刃４２で作物を挟み込んで細断できるようになっている。また、シリンダ４４には複数の羽根４３が設けられており、その回転時における風圧によって、細断された作物を上方に吹き上げられるようにしている。この吹き上げられた飼料用作物はシューター４５を介して後方の荷台５側へと放出される。
【００２６】
荷台５は、図１などに示されるように、この細断された飼料用作物を収容できるようにしたものであって、起立した前部壁面５１や側壁面５２や傾斜した後部壁面５３などを有するようなボックス状に形成されている。この後部壁面５３の傾斜角度としては、後述するダンプ機構６によって最大に傾斜させた際に、後部壁面５３から飼料用作物を滑り落とせるような角度となっている。また、この荷台５の上部開口部５４には、シューター４５から放出された飼料用作物を外部に飛散させないようにしたカバー体５５が設けられる。このカバー体５５は、図６に示すように、フレーム５５ａに小さな網目状のネット５５ｂを取り付けて構成されるものであって、図１に示すように、シューター４５の出口側を開口させるとともに、後端側を下方へ向けて傾斜させた屈曲部５５ｃを設け、これによって荷台５を大きく傾斜させた際に、この屈曲部５５ｃに飼料用作物を当てて確実に分散部７に当てられるようにしている。このカバー体５５の前端側は、図１などに示すように、荷台５の前方の高い位置の回動軸５５ｄに回動可能に取り付けられており、自重によって後端側を回動させられるようにしている。
【００２７】
ダンプ機構６は、荷台５の前方を持ち上げて後方に向けて傾斜させられるように構成されており、左右に設けられた油圧シリンダ６１を伸ばすことによって、荷台５の後部上端部に設けられた回動軸６２を中心に傾動させるようにしている。
【００２８】
そして、この実施の形態では、この荷台５の後部上端部に分散部７を設けるようにしている。この分散部７は、荷台５の後部上端部からロールベーラー８のホッパー８１側に飼料用作物を分散化させた状態で落下させるようにしたものであって、ここでは、図６に示すように、荷台５の後部上端部に沿って設けられた水平面状のプレート７１と、このプレート７１から起立する複数の板状体７２を設けて構成されている。この板状体７２は、プレート７１上の中心線ＣＬ７を中心に後方に向かってそれぞれ末広がりとなるような傾斜角を持って取り付けられている。この板状体７２としては、上辺部７２Ｈを荷台５の傾斜する後部壁面５３の傾斜角度と同じか、あるいは、それよりも小さい角度となるようにしており、これによって荷台５を傾斜させた際に、細断されていない比較的大きな飼料用作物を板状体７２の上辺部７２Ｈに当てて飼料用作物をそのまま後方に落下させ（図６の破線）、また、細断された小さな飼料用作物については板状体７２の上辺部７２Ｈの隙間から真下に落下させ、板状体７２の壁面に当てて左右に分散化させて落下させるようにしている（図６の実線）。なお、このように板状体７２の上辺部７２Ｈを後部壁面５３の傾斜角度と同じか、それよりも小さい角度としておくと、飼料用作物が後部壁面５３に沿って落下してきた際に、板状体７２に引っ掛かりなく落下させることができるようになる。
【００２９】
ここでは、板状体７２の角度としては、右側と左側でそれぞれ平行となるように傾斜させているが、図７（ａ）に示すように、両外側に向かって傾斜角θが大きくなるように傾斜させてもよい。また、図７（ｂ）に示すように、板状体７２の上部傾斜部分をＬ字状に屈曲した屈曲片７３を設けるようにしてもよい。このような屈曲片７３を設けるようにすれば、その屈曲片７３に飼料用作物を当てることで、そこから遠方に飼料用作物を落下させることができるようになる。この場合、高さ寸法の高い位置の近傍にのみ設けるようにしてもよく、あるいは、その屈曲片７３を三角形状をなす斜辺のすべてに設けるようにしてもよい。
【００３０】
また、この分散部７として、図８に示すような構造を用いることができる。この分散部７は、平行四辺形をなす複数の板状体７２の上辺部７２Ｈを荷台５の後部壁面５３と同一面上に配置し、後部壁面５３の中心線ＣＬ５に対して平行または後部壁面５３の後端から後方へ向かって角度αで開くように左右対称に配置する。また、プレート７１の平面に沿った中心線をＣＬ７とした場合、板状体７２の上辺部７２Ｈを下辺部７２Ｌに対して中心線ＣＬ７側に傾ける（角度θ）とともに各板状体７２を左右対称に配置するようにしたものである。このとき、上辺部７２Ｈについては、他の実施の形態と同様に、荷台５の後端部５３の傾斜角度と同じか、あるいは、それよりも小さな角度としているため、これによって荷台５を傾斜させた際に、細断されていない比較的大きな飼料作物を板状体７２の上辺部７２Ｈに当てて飼料作物をそのまま後方に落下させ、また、切断された小さな飼料作物については板状体７２の上辺部７２Ｈの隙間から真下に落下させて、板状体７２の壁面に当てて左右に分散化させるようにすることもできる。
【００３１】
このように構成された収穫機１の作用について説明する。
【００３２】
まず、機体を走行させることによって圃場の飼料用作物を刈取部２で刈り取り、中央に寄せた状態で株元から搬送部３に取り込んでいく。そして、その搬送部３で水平状態にして細断部４まで導き、そこで、回転する回転刃４１で株元から細断していく。このように細断された飼料用作物は、回転する複数の羽根４３の風圧などによって吹き上げられ、シューター４５を介して荷台５の後方に勢い良く放出される。
【００３３】
このように放出された飼料用作物は、順次カバー体５５で覆われた荷台５の内部に収容されていく。
【００３４】
そして、このように飼料用作物を収容して荷台５が満杯状態になると、機体をロールベーラー８の近くまで走行させ、ホッパー８１に飼料用作物を移し替えるようにする。
【００３５】
この移し替えの際には、収穫機１のダンプ機構６を駆動させて荷台５の前方を持ち上げるように油圧シリンダ６１を伸ばして、荷台５を傾斜させる（図４（ａ）から図（ｂ）の状態）。すると、荷台５に収容された飼料用作物はカバー体５５に当たり、その重量によってカバー体５５を持ち上げながら分散部７の板状体７２の上辺部７２Ｈに当たるようになる。一方、小さく細断された飼料用作物については、上辺部７２Ｈの間を落下して板状体７２に当たり、板状体７２の傾斜角度に沿った方向に分散されて落下していく（図６の実線）。また、あまり細断されていない大きな飼料用作物などについては、板状体７２の上辺部７２Ｈに当たった状態で後方へと落下していく（図６の破線）。
【００３６】
そして、更に荷台５を大きく傾斜させていくと、荷台５の飼料用作物が少なくなり、その重量によってカバー体５５を押し上げることが難しくなるが、カバー体５５の回動軸５５ｄが荷台５の上端開口部よりも高い位置に取り付けられているため、図５に示すように、自然とカバー体５５が上部開口部５４から開くようになる。そして、このようにカバー体５５が開いた状態で、荷台５の上方から収容物が分散部７に当たらずに飛び越して行くことを防止し、確実に分散部７に当てて飼料用作物を分散化させるようにする。
【００３７】
このように飼料用作物が図９に示すロールベーラー８のホッパー８１に移し替えられると、ホッパー８１では、図１０に示すように、ほぼ平坦に近い状態で均一化されて飼料用作物が収容される。
【００３８】
次に、この状態でホッパー８１の搬送部８２を駆動させて飼料用作物を後方のアジテーター８３まで搬送させる。このアジテーター８３は、飼料用作物を押し戻すように回転し、下方側に設けられたアジテーター８３と搬送部８２との隙間から定量的に飼料用作物を吐き出していく。そして、その吐き出された飼料用作物をロール成形部８４まで搬送させ、そこで周回するタイトバー８５の上に載せて自転させる。すると、次々に搬送されてくる飼料用作物を巻き込んで外形寸法を大きくしていく。そして、そのロールベールが所定の大きさになった場合、ネット８６を繰り出してロールベールの外周に巻き付け、所定回数巻き付けた後に、そのネット８６を切断して、後部チャンバーを開放させて後方に放出する。
【００３９】
このように上記実施の形態によれば、荷台５を傾斜させることによって当該荷台５に収容された異なる大きさの飼料用作物を当該荷台５の後部壁面５３に沿って落下させるようにした荷台構造において、当該荷台５の後部壁面５３の上端部に、前記飼料用作物を分散化さて落下させるために、当該落下方向に対して左右方向の角度を異なるように配置した複数の板状体７２を設けるようにしたので、ロールベーラー８のホッパー８１に飼料用作物を平坦化させて収容することができ、積載量を大きくすることができる。また、ホッパー８１で平坦に飼料用作物を収容することができるため、均一にロール成形部８４まで飼料用作物を繰り出すことができるため、ロールベールの外形形状を整えることができる。
【００４０】
なお、本発明は上記実施の形態に限定されることなく、種々の態様で実施することができる。
【００４１】
例えば、上記実施の形態では、分散部７として、プレート７１に板状体７２を起立させて構成するようにしたが、これに限らず、収容物を移し替える際に分散化させるようなものであれば、どのような機構的・構造的なものであってもよい。
【００４２】
また、上記実施の形態では、荷台５に分散部７を固定的に取り付けるようにしたが、これに限らず、この分散部７を着脱可能に取り付けるようにしてもよい。
【００４３】
また、この実施の形態では荷台５に収容物を収容して分散化させるようにしたが、この「荷台」とは、収容物を収容する容器を意味するものであって、例えば、ショベルカーのショベル、車両に載置されていない箱形容器なども含むものである。
【００４４】
また、この実施の形態ではロールベーラー８のホッパー８１に飼料用作物を移し替える場合について説明したが、トラックの荷台などに移し替える場合にも適用することができる。
【００４５】
また、この実施の形態で板状体７２の上辺部７２Ｈを後部壁面５３の傾斜角度よりも同等以下にしたが、後部壁面が湾曲するように傾斜している場合は、その後部上端部の接線の傾斜角度よりも小さくしておくようにするとよい。
【符号の説明】
【００４６】
１・・・収穫機
５・・・荷台
５１・・・前部壁面
５２・・・側壁面
５３・・・後部壁面
５４・・・上部開口部
５５・・・カバー体
６・・・ダンプ機構
７・・・分散部
７１・・・プレート
７２・・・板状体
７２Ｈ・・・上辺部
７２Ｌ・・・下辺部
７３・・・屈曲片
【図１】
0006610865.tif 000002
【図２】
0006610865.tif 000003
【図３】
0006610865.tif 000004
【図４】
0006610865.tif 000005
【図５】
0006610865.tif 000006
【図６】
0006610865.tif 000007
【図７】
0006610865.tif 000008
【図８】
0006610865.tif 000009
【図９】
0006610865.tif 000010
【図１０】
0006610865.tif 000011
【図１１】
0006610865.tif 000012